(57)【要約】【課題】ガスの検知を確実に行うガス検知システムおよびガス検知方法を提供する。【解決手段】ガスを検出するためのレーザ光Ｌを出射すると共に所定の監視領域Ｅを通過して戻る反射光を受光し、受光した受信信号に基づいて監視領域Ｅにおけるガスの存在を検知するガス検知器１と、ガス検知器１から順次出射されるレーザ光Ｌをそれぞれ監視領域Ｅ内の異なる方向へ反射する反射部２とを備える。【選択図】図１
2019135471.tif 000002
【特許請求の範囲】
【請求項１】
ガスを検出するためのレーザ光を出射すると共に所定の監視領域を通過して戻る反射光を受光し、受光した受信信号に基づいて前記監視領域におけるガスの存在を検知するガス検知器と、
ガス検知器から順次出射される前記レーザ光をそれぞれ前記監視領域内の異なる方向へ反射する反射部とを備えるガス検知システム。
【請求項２】
前記ガス検知器で検知されたガスの検知情報に基づいて前記監視領域でガス漏れが生じているか否かを判定するガス漏れ判定部と、
前記監視領域の異常を報知する報知部と、
前記ガス漏れ判定部において前記監視領域でガス漏れが生じていると判定された場合に前記監視領域の異常を報知するように前記報知部を制御する制御部とをさらに有する請求項１に記載のガス検知システム。
【請求項３】
前記反射部は、前記レーザ光を反射する反射面と、前記反射面が異なる方向を向くように前記反射面の姿勢を変更する反射姿勢変更部とを有する請求項１または２に記載のガス検知システム。
【請求項４】
前記反射部は、互いに異なる方向を向いた複数の反射面を有し、前記複数の反射面が前記ガス検知器から順次出射される前記レーザ光を異なる方向に反射する請求項１〜３のいずれか一項に記載のガス検知システム。
【請求項５】
前記反射部は、ガス管の直上に設定された前記監視領域内に前記レーザ光を反射するように配置される請求項１〜４のいずれか一項に記載のガス検知システム。
【請求項６】
ガスを検出するためのレーザ光をガス検知器から順次出射し、
前記ガス検知器から順次出射されるレーザ光を反射部でそれぞれ所定の監視領域内の異なる方向へ反射し、
前記監視領域を通過して戻る反射光を前記ガス検知器で受光すると共に、受光した受信信号に基づいて前記監視領域におけるガスの存在を検知するガス検知方法。
【発明の詳細な説明】
【技術分野】
【０００１】
この発明は、ガス検知システムおよびガス検知方法に係り、特に、ガスを検出するためのレーザ光を出射して監視領域におけるガスの存在を検知するガス検知システムおよびガス検知方法に関する。
【背景技術】
【０００２】
従来、可燃性ガス、例えばメタン等の成分を含む都市ガスの漏えいを検知するために、接触燃焼法や半導体法等を利用したガス漏れ検知器を、ガス配管などの検査対象に近づけることによってガスの漏えいを検知する手法が知られている。
しかしながら、このような手法では、ガス漏れ検知器を検査対象に近づけることが困難な状況、例えば検査対象が高所に位置する場合に、可燃性ガスの漏えいを検知する作業に多くの労力を要するといった問題があった。
【０００３】
そこで、検知作業の労力を軽減する技術として、例えば、特許文献１には、メタンが特定の波長の光、具体的には赤外線を吸収する特性を利用し、半導体レーザ（赤外線）を照射した後に生じる乱反射光を分析することによって可燃性ガスの漏えいを検知する携帯型のガス検知装置が提案されている。このガス検知装置は、離れた位置から可燃性ガスの漏えいを検知することができるため、検査対象に近づく必要がなく、検知作業の労力を軽減することができる。
【先行技術文献】
【特許文献】
【０００４】
【特許文献１】特開２００８−２３２９１９号公報
【発明の概要】
【発明が解決しようとする課題】
【０００５】
しかしながら、特許文献１のガス検知装置は、検査対象に対して半導体レーザを手作業で全体的に照射するように構成されているため、ガスの検知作業が煩雑になるおそれがあった。特に、配管経路が複雑なガス管など、外観形状が複雑な検査対象を検査する場合に、検査対象自体が障害となり、検査対象を詳細に検査することが困難であった。
【０００６】
この発明は、このような従来の問題点を解消するためになされたもので、ガスの検知を確実に行うガス検知システムおよびガス検知方法を提供することを目的とする。
【課題を解決するための手段】
【０００７】
この発明に係るガス検知システムは、ガスを検出するためのレーザ光を出射すると共に所定の監視領域を通過して戻る反射光を受光し、受光した受信信号に基づいて監視領域におけるガスの存在を検知するガス検知器と、ガス検知器から順次出射されるレーザ光をそれぞれ監視領域内の異なる方向へ反射する反射部とを備えるものである。
【０００８】
ここで、ガス検知器で検知されたガスの検知情報に基づいて監視領域でガス漏れが生じているか否かを判定するガス漏れ判定部と、監視領域の異常を報知する報知部と、ガス漏れ判定部において監視領域でガス漏れが生じていると判定された場合に監視領域の異常を報知するように報知部を制御する制御部とをさらに有することが好ましい。
【０００９】
また、反射部は、レーザ光を反射する反射面と、反射面が異なる方向を向くように反射面の姿勢を変更する反射姿勢変更部とを有することが好ましい。
【００１０】
また、反射部は、互いに異なる方向を向いた複数の反射面を有し、複数の反射面がガス検知器から順次出射されるレーザ光を異なる方向に反射することが好ましい。
【００１１】
また、反射部は、ガス管の直上に設定された監視領域内にレーザ光を反射するように配置されることができる。
【００１２】
この発明に係るガス検知方法は、ガスを検出するためのレーザ光をガス検知器から順次出射し、ガス検知器から順次出射されるレーザ光を反射部でそれぞれ所定の監視領域内の異なる方向へ反射し、監視領域を通過して戻る反射光をガス検知器で受光すると共に、受光した受信信号に基づいて監視領域におけるガスの存在を検知するものである。
【発明の効果】
【００１３】
この発明によれば、反射部が、ガス検知器から順次出射されるレーザ光をそれぞれ監視領域内の異なる方向へ反射するので、ガスの検知を確実に行うガス検知システムおよびガス検知方法を提供することが可能となる。
【図面の簡単な説明】
【００１４】
【図１】この発明の実施の形態１に係るガス検知システムの構成を示す図である。
【図２】ガス検知システムの構成を示すブロック図である。
【図３】ガス検知器の姿勢を変更する様子を示す図である。
【図４】実施の形態２に係るガス検知システムの要部を示す図である。
【図５】実施の形態３に係るガス検知システムの要部を示す図である。
【発明を実施するための形態】
【００１５】
以下、この発明の実施の形態を添付図面に基づいて説明する。
実施の形態１
図１に、この発明の実施の形態１に係るガス検知システムの構成を示す。このガス検知システムは、ガス検知器１と、反射部２と、監視部３と、管理部４と、報知部５とを有する。
【００１６】
ガス検知器１は、可燃性ガスが流通するガス管Ｇが配置されたガス管室Ｒに配置され、図示しない検知器姿勢変更部により姿勢を変更可能に取り付けられている。ガス検知器１は、可燃性ガスを検出するためのレーザ光Ｌを反射部２に向けて順次出射し、反射部２で反射された後、所定の監視領域Ｅを通過して戻る反射光を受光する。反射光を受光したガス検知器１は、受光した受信信号に基づいて監視領域Ｅにおける可燃性ガスの存在を検知する。
ここで、可燃性ガスとしては、例えばメタンを含むガスが挙げられる。また、ガス管室Ｒとしては、例えばガバナステーションおよびバルブステーションなどが挙げられる。
【００１７】
反射部２は、ガス検知器１から順次出射されるレーザ光Ｌをそれぞれ監視領域Ｅ内の異なる方向へ反射するものである。反射部２は複数の反射面６を有し、この複数の反射面６が、球体の表面に互いに異なる方向を向いて並んで配置されている。ここで、監視領域Ｅは、可燃性ガスが流通するガス管Ｇの直上に設定されており、反射部２は、その監視領域Ｅ内にレーザ光Ｌを反射するようにガス管室Ｒの天井部、すなわち監視領域Ｅの上側に配置されている。
監視部３は、ガス管室Ｒを撮像することにより監視領域Ｅを含むガス管室Ｒ全体を監視するもので、撮像された領域画像を管理部４に順次出力する。また、監視部３は、ガス検知器１との間で無線通信して監視領域Ｅにおける可燃性ガスの検知情報を受信し、その検知情報を管理部４に順次出力する。
【００１８】
管理部４は、監視部３との間で無線通信してガス管室Ｒを管理するもので、ガス検知器１で検知された可燃性ガスの検知情報および監視部３で撮像された領域画像に基づいて、監視領域Ｅでガス漏れが生じているか否かを判定する。
報知部５は、管理部４との間で無線通信して、管理部４において監視領域Ｅでガス漏れが生じていると判定された場合に、幹線道路などを巡回パトロールする管理者Ｐにガス管室Ｒの異常を報知するものである。報知部５は、例えば携帯電話などから構成することができる。
【００１９】
次に、ガス検知器１、監視部３、管理部４および報知部５の構成について詳細に説明する。
図２に示すように、ガス検知器１は、出射部７および受光部８を有し、出射部７に駆動回路９が接続されると共に、受光部８に受信回路１０、濃度算出部１１および無線通信部１２ａが順次接続されている。また、駆動回路９、受信回路１０、濃度算出部１１および無線通信部１２ａに検知器制御部１３がそれぞれ接続されている。
【００２０】
出射部７は、反射部２に向くように配置され、可燃性ガスを検出するためのレーザ光Ｌを反射部２に向かって出射する。出射部７は、例えば半導体レーザから構成することができる。また、レーザ光Ｌとしては、可燃性ガスに含まれるメタンに吸収される赤外線を用いることができる。
駆動回路９は、レーザ光Ｌが出射部７から出射されるように駆動信号を出射部７に供給するものである。
【００２１】
受光部８は、出射部７からレーザ光Ｌが出射されて監視領域Ｅを通過して戻る反射光を受光し、受光による受信信号を出力するものである。受光部８は、例えばフォトダイオードから構成することができる。
受信回路１０は、受光部８から出力される受信信号を信号処理して出力するものである。
【００２２】
濃度算出部１１は、受信回路１０から出力される受信信号から変調周波数の基本波位相敏感検波信号と２倍波位相敏感検波信号を取得し、これらの検波信号に基づいて監視領域Ｅにおける可燃性ガスの濃度を算出する。算出された可燃性ガスの濃度は、検知情報として無線通信部１２ａに出力される。
【００２３】
検知器制御部１３は、予め設定された各種の制御信号に基づいてガス検知器１の各部の制御を行う。例えば、検知器制御部１３は、出射部７から所定の時間間隔でレーザ光Ｌを出射するように駆動回路９を制御する。また、検知器制御部１３は、出射部７から出射されたレーザ光Ｌの反射光を受光するように受信回路１０を制御する。
無線通信部１２ａは、濃度算出部１１で算出された可燃性ガスの検知情報を無線通信により監視部３に送信する。
【００２４】
監視部３は、撮像部１４および無線通信部１２ｂを有し、この撮像部１４および無線通信部１２ｂが無線通信部１２ｃにそれぞれ接続されている。
撮像部１４は、監視領域Ｅを含むガス管室Ｒ全体を撮像して、その領域画像を出力するものである。撮像部１４は、例えば、カメラなどから構成することができる。
【００２５】
無線通信部１２ｂは、ガス検知器１の無線通信部１２ａとの間で無線通信して、濃度算出部１１から出力される可燃性ガスの検知情報を受信し、その検知情報を無線通信部１２ｃに出力する。
無線通信部１２ｃは、無線通信部１２ｂから出力された可燃性ガスの検知情報と、撮像部１４から出力された領域画像とを無線通信により管理部４に送信するものである。
【００２６】
管理部４は、無線通信部１２ｄを有し、この無線通信部１２ｄにガス漏れ判定部１５および無線通信部１２ｅが順次接続されている。また、無線通信部１２ｄ、ガス漏れ判定部１５および無線通信部１２ｅに管理制御部１６が接続され、この管理制御部１６に格納部１７および操作部１８がそれぞれ接続されている。
無線通信部１２ｄは、監視部３の無線通信部１２ｃとの間で無線通信して、ガス検知器１から出力される可燃性ガスの検知情報および撮像部１４から出力される領域画像を受信し、可燃性ガスの検知情報および領域画像をガス漏れ判定部１５に出力する。
【００２７】
ガス漏れ判定部１５は、無線通信部１２ｄから出力される可燃性ガスの検知情報に基づいて監視領域Ｅでガス漏れが生じているか否かを判定する。また、ガス漏れ判定部１５は、無線通信部１２ｄから出力された領域画像を無線通信部１２ｅに出力する。
管理制御部１６は、ガス漏れ判定部１５において監視領域Ｅでガス漏れが生じていると判定された場合に、無線通信部１２ｅを介して制御信号を報知部５に送信して、監視領域Ｅの異常を報知するように報知部５を制御する。
無線通信部１２ｅは、管理制御部１６から出力される制御信号およびガス漏れ判定部１５から出力される領域画像を無線通信により報知部５に送信する。
【００２８】
格納部１７は、動作プログラム等を格納するもので、ハードディスク、フレキシブルディスク、ＭＯ、ＭＴ、ＲＡＭ、ＣＤ−ＲＯＭ、ＤＶＤ−ＲＯＭ等の記録媒体を用いることができる。
操作部１８は、管理者Ｐが入力操作を行うためのもので、キーボード、マウス、トラックボール、タッチパネル等から構成することができる。
なお、ガス漏れ判定部１５および管理制御部１６は、ＣＰＵと、ＣＰＵに各種の処理を行わせるための動作プログラムから構成されるが、それらをデジタル回路で構成してもよい。
【００２９】
報知部５は、管理者Ｐに対してガス管室Ｒの異常を報知するもので、無線通信部１２ｆを有し、この無線通信部１２ｆに画像表示部１９および警告音出力部２０がそれぞれ接続されている。
無線通信部１２ｆは、管理部４の無線通信部１２ｅとの間で無線通信し、無線通信部１２ｅから制御信号および領域画像を受信して、領域画像を画像表示部１９に出力すると共に制御信号を警告音出力部２０に出力する。
【００３０】
画像表示部１９は、液晶ディスプレイなどから構成され、無線通信部１２ｆから出力された領域画像を表示する。
警告音出力部２０は、スピーカーなどから構成され、無線通信部１２ｆから出力された制御信号に基づいて警告音を出力する。
【００３１】
次に、この実施の形態の動作について説明する。
まず、図１に示すように、ガス管室Ｒに配置されたガス検知器１から反射部２に向かってレーザ光Ｌが出射される。また、ガス管室Ｒに配置された監視部３によりガス管室Ｒが撮像される。一方、報知部５を携帯した管理者Ｐが幹線道路などを巡回パトロールする。
【００３２】
ここで、ガス検知器１は、図２に示すように、検知器制御部１３により駆動回路９が制御されて、出射部７から反射部２に向かってレーザ光Ｌを出射する。出射部７から出射されたレーザ光Ｌは、反射部２の反射面６により、ガス管Ｇの直上に設定された監視領域Ｅに向かって反射されて監視領域Ｅに入射し、そのまま監視領域Ｅを通過していく。ここで、レーザ光Ｌは、ガス管Ｇを流通する可燃性ガスに吸収される波長に設定されている。このため、レーザ光Ｌは、監視領域Ｅにおける可燃性ガスの濃度に応じて吸収されつつ監視領域Ｅを通過することになる。
【００３３】
監視領域Ｅを通過したレーザ光Ｌは、例えばガス管室Ｒの壁部などの反射体により、再び反射部２へと反射されて、反射部２によりガス検知器１へと戻される。すなわち、反射光は、ガス検知器１から出射されたレーザ光Ｌと同じ経路でガス検知器１に戻されることになる。ガス検知器１に戻された反射光は、受光部８で受光され、濃度算出部１１が受信信号に基づいて監視領域Ｅにおける可燃性ガスの濃度を算出する。
【００３４】
このように、反射光が受光部８で受光されると、検知器制御部１３は、再度、駆動回路９を駆動して、出射部７から反射部２に向かって次のレーザ光Ｌを出射する。ここで、ガス検知器１は、図３に示すように、ガス検知器１の姿勢を変更する検知器姿勢変更部２１に接続されており、この検知器姿勢変更部２１が、ガス検知器１の姿勢を最初のレーザ光Ｌ１を出射する姿勢Ｓ１から次のレーザ光Ｌ２を出射する姿勢Ｓ２に変更する。検知器姿勢変更部２１は、最初のレーザ光Ｌ１を反射した反射面６ａと異なる方向を向いた反射面６ｂに向けて次のレーザ光Ｌ２が出射されるようにガス検知器１を姿勢Ｓ２に変更する。これにより、ガス検知器１から出射されたレーザ光Ｌ２は、反射部２の反射面６ｂによりレーザ光Ｌ１とは異なる方向へ反射される。
【００３５】
このようにして、ガス検知器１は、互いに異なる方向を向いた複数の反射面６に向かってレーザ光Ｌを順次出射し、その複数のレーザ光Ｌが複数の反射面６によりそれぞれ監視領域Ｅ内の異なる方向へ反射される。このため、複数の反射面６により反射されたレーザ光Ｌは、それぞれ、監視領域Ｅの異なる位置を通過し、ガス管室Ｒの壁部などにより戻された反射光が複数の反射面６を介してガス検知器１の受光部８に順次受光される。
ここで、複数の反射面６は、球体の表面に互いに異なる方向を向いて並んで配置されているため、ガス検知器１から順次出射されるレーザ光Ｌを監視領域Ｅの広い範囲に反射することができる。
【００３６】
受光部８において反射光が順次受光されると、図２に示すように、濃度算出部１１により受信信号に基づいて監視領域Ｅにおける可燃性ガスの濃度が順次算出される。このように、ガス検知器１からレーザ光Ｌを自動的に順次出射して可燃性ガスを検知するため、監視領域Ｅにおける可燃性ガスの存在を簡便に検知することができる。また、反射部２で反射されて監視領域Ｅ内の異なる位置を通過した複数の反射光に基づいて可燃性ガスを検知するため、監視領域Ｅにおける可燃性ガスの存在を確実に検知することができる。
【００３７】
算出された可燃性ガスの濃度は、無線通信部１２ａおよび１２ｂを介して濃度算出部１１から監視部３に出力され、さらに無線通信部１２ｃおよび１２ｄを介して監視部３から管理部４のガス漏れ判定部１５に出力される。
一方、監視部３の撮像部１４が監視領域Ｅを含むガス管室Ｒを撮像し、その領域画像が無線通信部１２ｃおよび１２ｄを介して撮像部１４から管理部４のガス漏れ判定部１５に順次出力される。
【００３８】
監視領域Ｅにおける可燃性ガスの濃度がガス漏れ判定部１５に入力されると、ガス漏れ判定部１５は、可燃性ガスの濃度に基づいて監視領域Ｅでガス漏れが生じているか否かを判定する。例えば、ガス漏れ判定部１５は、可燃性ガスの濃度が所定の閾値より高い場合には監視領域Ｅでガス漏れが生じていると判定することができる。
【００３９】
ここで、ガス漏れ判定部１５は、ガス検知器１で検知される可燃性ガスの濃度が順次入力されるため、監視領域Ｅにおけるガス漏れを継時的に検知することができる。また、ガス漏れ判定部１５は、監視領域Ｅ内の異なる位置における可燃性ガスの濃度が入力されるため、監視領域Ｅにおけるガス漏れを確実に検知することができる。また、反射部２が、可燃性ガスに含まれるメタンの性質に合わせてガス管Ｇの直上に設定された監視領域Ｅに向けてレーザ光Ｌを反射するため、ガス漏れを高精度に検知することができる。さらに、ガス管Ｇの近傍に設定された監視領域Ｅのガス漏れを検知するため、例えばガス管室Ｒの外側にガス検知器を設置してガス漏れを検知する場合と比較して、ガス管Ｇからのガス漏れを迅速に検知することができる。
【００４０】
このようにして、ガス漏れ判定部１５においてガス漏れが生じていると判定された場合には、管理制御部１６が、無線通信部１２ｅおよび１２ｆを介して制御信号と共に監視部３の撮像部１４で撮像された領域画像を報知部５に出力し、領域画像を画像表示部１９に表示させると共に監視領域Ｅの異常を知らせる警告音を警告音出力部２０から出力させる。
【００４１】
これにより、報知部５を携帯する管理者Ｐに監視領域Ｅの異常を報知することができる。また、警告音の出力と同時に、画像表示部１９にはガス管室Ｒの領域画像が表示される。このため、管理者Ｐはガス管室Ｒの様子を視認することができ、ガス管室Ｒにおいて異常事態が発生しているか否かを確実に把握することができる。これにより、例えば、ガス管Ｇが破損した様子および侵入者がガス管室Ｒに侵入した様子などが確認された場合には、管理者Ｐがガス管室Ｒに出向くなど、監視領域Ｅの異常の報知に対して適切な行動をとることができる。
【００４２】
また、ガス検知器１からレーザ光Ｌを自動的に順次出射して監視領域Ｅにおけるガス漏れを判定するため、管理者Ｐが定期的にガス管室Ｒに出向いてガス漏れを確認する必要がなく、ガス管室Ｒの管理に要する労力を大きく低減することができる。
なお、報知部５とは別の新たな報知部を管理部４に配置することもでき、この報知部により管理部４の周辺の管理者Ｐに対して監視領域Ｅの異常を報知することができる。
【００４３】
一方、ガス検知器１で検知された可燃性ガスの濃度が極めて低く、ガス漏れ判定部１５が監視領域Ｅにおいてガス漏れが生じていないと判定した場合には、管理制御部１６から制御信号は出力されず、報知部５から監視領域Ｅの異常は報知されないことになる。
【００４４】
本実施の形態によれば、反射部２が、ガス検知器１から順次出射されるレーザ光Ｌをそれぞれ監視領域Ｅ内の異なる方向へ反射するため、監視領域Ｅ内の異なる位置を通過させることができ、監視領域Ｅを通過して戻る複数の反射光に基づいて監視領域Ｅにおける可燃性ガスの検知を確実に行うことができる。
【００４５】
なお、本実施の形態において、反射部２の姿勢を変更する反射姿勢変更部を新たに配置することもできる。例えば、反射姿勢変更部は、反射部２が自らの周りに回転するように反射部２の姿勢を変更することができる。このように、反射部２の姿勢を変更することにより、ガス検知器１から順次出射されるレーザ光Ｌを様々な方向へ反射することができる。また、反射姿勢変更部は、反射部２をガス管Ｇに沿って移動させることもでき、これにより幅広い範囲にわたってレーザ光Ｌを反射させることができる。
【００４６】
実施の形態２
実施の形態１では、反射部２は、互いに異なる方向を向いた複数の反射面６が配置されたが、ガス検知器１から順次出射されるレーザ光Ｌをそれぞれ監視領域Ｅの異なる方向へ反射することができればよく、複数の反射面６に限られるものでない。
例えば、図４に示すように、実施の形態１の反射部２に換えて反射部２２を配置し、検知器姿勢変更部２１を除くと共に反射姿勢変更部２３を新たに配置することができる。
【００４７】
反射部２２は、ガス検知器１から順次出射されるレーザ光Ｌ１およびＬ２を反射する１つの反射面２４を有する。
反射姿勢変更部２３は、反射面２４が異なる方向を向くように反射面２４の姿勢を変更するものである。ここで、反射姿勢変更部２３は、ガス検知器１から順次出射されるレーザ光Ｌ１およびＬ２をそれぞれ監視領域Ｅ内の異なる方向へ反射するように、反射面２４の姿勢を変更する。
【００４８】
本実施の形態によれば、反射部２２が１つの反射面２４から構成されるため、反射部２２の構成を簡単化することができる。
【００４９】
実施の形態３
実施の形態１および２において、ガス管室Ｒに複数のガス検知器を配置することが好ましい。
例えば、図５に示すように、実施の形態１のガス管室Ｒに２つのガス検知器３１および３２を新たに配置することができる。
【００５０】
ガス検知器３１および３２は、ガス検知器１と同じ構成を有し、反射部２に向けてレーザ光Ｌを出射して監視領域Ｅにおける可燃性ガスの存在を検知する。可燃性ガスの検知情報は、監視部３に順次送信される。
ここで、ガス検知器３１は、反射部２を挟んでガス検知器１の反対側に配置されている。また、ガス検知器３２は、ガス検知器１とガス検知器３１の間に配置されている。このように、反射部２を囲むようにガス検知器１、３１および３２を配置することにより、ガス検知器１、３１および３２から出射されるレーザ光Ｌを反射部２により監視領域Ｅ内の様々な方向へ反射することができる。
【００５１】
本実施の形態によれば、ガス管室Ｒに複数のガス検知器１、３１および３２を配置するため、ガス検知器１、３１および３２から出射されるレーザ光Ｌを反射部２で監視領域Ｅ内の様々な方向へ反射することができ、監視領域Ｅにおける可燃性ガスの存在をより確実に検知することができる。
【００５２】
なお、実施の形態１〜３において、反射部は、ガス検知器から順次出射されるレーザ光Ｌをそれぞれ監視領域Ｅ内の異なる方向へ反射することができればよく、特定の形状に限られるものでない。
例えば、反射部は、湾曲した１つの反射面を有し、この反射面でレーザ光Ｌを監視領域Ｅ内の異なる方向へ反射することができる。
また、反射部は、ガラスおよびダイヤモンドなどの材料を多面体にカットして形成し、表面から入射したレーザ光Ｌを内部で全反射して表面から出射するように構成することもできる。
【００５３】
また、実施の形態１〜３では、ガス検知器は、レーザ光Ｌを自動的に出射するように構成されたが、レーザ光Ｌを手動で出射するように構成することもできる。
また、実施の形態１〜３では、ガス検知器は、メタンを含む可燃性ガスを検出するためのレーザ光Ｌを出射したが、ガスを検出するためのレーザ光を出射することができればよく、ガスの性質に応じたレーザ光Ｌを用いることができる。
【００５４】
また、実施の形態１〜３では、ガス検知器は、ガス管室Ｒ内に配置されたが、監視領域Ｅにおけるガスの存在を検知することができればよく、例えば外に配置されたガス管Ｇから漏れるガスの存在を検知する場合にはガス検知器を外に配置することもできる。
さらに、実施の形態１〜３では、監視領域Ｅは、ガス管Ｇの直上に設定されたが、ガス管Ｇを流通するガスの性質に応じた位置に設定すればよく、ガス管Ｇの直上に限られるものではない。例えば、空気より比重が大きいガスがガス管Ｇを流通している場合には、監視領域Ｅをガス管Ｇの直下に設定することができる。
【符号の説明】
【００５５】
１，３１，３２  ガス検知器
２，２２  反射部
３  監視部
４  管理部
５  報知部
６，６ａ，６ｂ，２４  反射面
７  出射部
８  受光部
９  駆動回路
１０  受信回路
１１  濃度算出部
１２ａ，１２ｂ，１２ｃ，１２ｄ，１２ｅ，１２ｆ  無線通信部
１３  検知器制御部
１４  撮像部
１５  ガス漏れ判定部
１６  管理制御部
１７  格納部
１８  操作部
１９  画像表示部
２０  警告音出力部
２１  検知器姿勢変更部
２３  反射姿勢変更部
Ｇ  ガス管
Ｒ  ガス管室
Ｌ，Ｌ１，Ｌ２  レーザ光
Ｅ  監視領域
Ｓ１，Ｓ２  ガス検知器の姿勢
【図１】
2019135471.tif 000003
【図２】
2019135471.tif 000004
【図３】
2019135471.tif 000005
【図４】
2019135471.tif 000006
【図５】
2019135471.tif 000007